(57)【要約】【課題】  簡易な構成でスクリーン本体の信頼性を向上させ、利便性も向上させたスクリーンを提供する。【解決手段】  可撓性のシート状をなすスクリーン本体１００と、スクリーン本体１００を収容し、開閉可能な筐体２００と、筐体２００を開閉させる開閉部２５０と、筐体２００の開閉部２５０による折畳み部２８０において、変形可能に固定される弾性部材３００とを有し、筐体２００を閉じることにより、折畳み部２８０においてスクリーン本体１００を従動させながら弾性部材３００を湾曲変形させ、筐体２００にスクリーン本体１００を収容可能とし、筐体２００を開けることにより、折畳み部２８０において弾性部材３００の変形を解除させ、筐体２００の平面上にスクリーン本体１００を展開可能となるように構成する。【選択図】      図１
2006300978.tif 000002
【特許請求の範囲】
【請求項１】
映像が投影されるスクリーンであって、
可撓性のシート状をなすスクリーン本体と、
前記スクリーン本体を収容し、開閉可能な筐体と、
前記筐体を開閉させる開閉部と、
前記筐体の前記開閉部による折畳み部において、変形可能に固定される弾性部材とを有し、
前記筐体を閉じることにより、前記折畳み部において前記スクリーン本体を従動させながら前記弾性部材を変形させ、前記筐体に前記スクリーン本体を収容可能とし、
前記筐体を開けることにより、前記折畳み部において前記弾性部材の変形を解除させ、前記筐体の平面上に前記スクリーン本体を展開可能となるように構成したことを特徴とするスクリーン。
【請求項２】
請求項１に記載のスクリーンであって、
前記弾性部材は、前記筐体の前記折畳み部を含める前記スクリーン本体の縁部に相対して設置され、前記スクリーン本体を前記筐体で挟み、前記筐体を閉じることにより、前記弾性部材が相互に当接するように構成したことを特徴とするスクリーン。
【請求項３】
請求項１または請求項２に記載のスクリーンであって、
前記スクリーン本体は、前記筐体の前記折畳み部を除く前記筐体の所定の領域に固定されていることを特徴とするスクリーン。
【請求項４】
請求項１〜請求項３のいずれか一項に記載のスクリーンであって、
前記筐体の前記折畳み部には、前記弾性部材の変形する領域と、その変形に従動する前記スクリーン本体の変形する領域とを収容する変形領域収容部が形成されていることを特徴とするスクリーン。
【発明の詳細な説明】
【技術分野】
【０００１】
本発明は、プロジェクタを含む各種の映像投写装置から映像光が投写される投影面としてのスクリーンに関する。
【背景技術】
【０００２】
従来、プロジェクタを含む各種の映像投写装置から映像光を投写される投影面としてのスクリーンは、例えば、特許文献１に記述される映写スクリーンなどがある。特許文献１は、可撓性の映写シートが開閉可能な筐体の内部に緩く折畳まれて収納されており、筐体を開くことによって映写シートが平面状に展開される機構を具備したものである。また特許文献１の映写スクリーンは、携帯して使用することも可能としている。
【０００３】
【特許文献１】特開平９−２３０５０３号公報
【発明の開示】
【発明が解決しようとする課題】
【０００４】
しかしながら、特許文献１に記載される映写スクリーンの構成では、映写シートは筐体の内部に緩く折畳まれて収納されるため、映写スクリーンの折畳み時に、注意を払わないと、映写シートを筐体に挟み込んで収容したり、折り曲げて収容したりしてしまう。その状態で、保管や移動を行った場合、映写シートに折目が形成されたり、映写シートの表面が擦れることにより損傷を受けたりする不具合が発生するという課題がある。また、携帯して使用するには、構造が複雑であり大型化し、組立てに時間がかかるなどの課題もある。
【０００５】
本発明は、上記課題に鑑みてなされたものであり、簡易な構成でスクリーン本体の信頼性を向上させ、利便性も向上させたスクリーンを提供することを目的とする。
【課題を解決するための手段】
【０００６】
上述した目的を達成するために、本発明は、映像が投影されるスクリーンであって、可撓性のシート状をなすスクリーン本体と、スクリーン本体を収容し、開閉可能な筐体と、筐体を開閉させる開閉部と、筐体の開閉部による折畳み部において、変形可能に固定される弾性部材とを有し、筐体を閉じることにより、折畳み部においてスクリーン本体を従動させながら弾性部材を変形させ、筐体にスクリーン本体を収容可能とし、筐体を開けることにより、折畳み部において弾性部材の変形を解除させ、筐体の平面上にスクリーン本体を展開可能となるように構成したことを特徴とする。
【０００７】
このようなスクリーンによれば、筐体を閉じる（スクリーンを閉じる）と、筐体の折畳み部において、弾性部材を変形させる。その時、弾性部材が変形するのに従動してスクリーン本体も変形させるため、スクリーン本体を収容する場合、筐体に挟み込んだり、折り曲げたりという不具合を防止できる。よって、スクリーン本体の信頼性を向上できる。また、筐体を開ける（スクリーンを開ける）と、筐体の折畳み部において、弾性部材の変形している状態を解除させる。その時、弾性部材が湾曲変形の解除に伴ってスクリーン本体も湾曲変形が解除され、筐体の平面上にスクリーン本体を展開可能となるため、スクリーンを開ける場合、スクリーン本体に折目や緩みなどなく筐体の平面上に展開できるため、スクリーン本体の信頼性を向上できる。
【０００８】
また、上述したスクリーンの構成および動作により、筐体を開けることでスクリーンを使用することが可能となり、筐体を閉じることでスクリーンを携帯や保管などすることが可能となる。従って、簡易な構成で利便性を向上させたスクリーンを実現できる。
【０００９】
上記スクリーンにおいて、弾性部材は、筐体の折畳み部を含めるスクリーン本体の縁部に相対して設置され、スクリーン本体を筐体とで挟み、筐体を閉じることにより、弾性部材が相互に当接するように構成することが好ましい。
【００１０】
このようなスクリーンによれば、弾性部材は、筐体の折畳み部を含めるスクリーン本体の縁部に相対して設置されるため、スクリーン本体の使用可能領域を広げることができる。また、筐体を閉じたとき、スクリーン本体の上面に位置する弾性部材が相互に当接することにより、スクリーン本体は、対面するスクリーン本体と相互に隙間を保持できるため、スクリーンの携帯時や保管時などには、スクリーン本体の表面が相互に擦れることや密着することによる損傷を防止することができる。従って、スクリーン本体の信頼性を更に向上させることができる。
【００１１】
上記スクリーンにおいて、スクリーン本体は、筐体の折畳み部を除く筐体の所定領域に固定されていることが好ましい。
【００１２】
このようなスクリーンによれば、スクリーン本体は、筐体の折畳み部を除く筐体の所定の領域に固定されるため、筐体の折畳み部での弾性部材の変形にスクリーン本体が従動して変形することができる。また、筐体の所定の領域に固定されることにより、撓みの発生を防止することができるため、スクリーン本体の信頼性を向上できる。
【００１３】
上記スクリーンにおいて、筐体の折畳み部には、弾性部材の変形する領域と、その変形に従動するスクリーン本体の変形する領域とを収容する変形領域収容部が形成されていることが好ましい。
【００１４】
このようなスクリーンによれば、弾性部材の変形する領域と、その変形に従するスクリーン本体の変形する領域とは、筐体に形成する変形領域収容部により、収容される。それにより、筐体によって変形を阻害されることなく変形を行うことができる。従って、スクリーン本体の信頼性が向上する。
【発明を実施するための最良の形態】
【００１５】
以下、本発明の実施形態を図面に基づいて説明する。
（実施形態）
【００１６】
図１は、本発明の実施形態に係るスクリーンの概略斜視図であり、図１（ａ）は、スクリーンを閉じた場合の斜視図であり、図１（ｂ）は、スクリーンを開いた場合の斜視図である。図１を用いて、スクリーン１の外観の構成を概略説明する。
【００１７】
図１（ａ）に示すように、スクリーン１を閉じた場合、スクリーン１の外形サイズは、用紙サイズで略Ａ４サイズのコンパクトな大きさとなる。この状態で、スクリーン１を携帯や保管を行うことができる。また、図１（ｂ）に示すように、スクリーン１を使用する場合には、折畳んだスクリーン１を開けて使用することになる。スクリーン１を開けた場合、スクリーン１の外形サイズは略Ａ３サイズとなり、略２０インチ程度の投影面としての領域を確保できる大きさとなる。
【００１８】
図１に示すように、スクリーン１は、可撓性のシート状をなすスクリーン本体１００と、スクリーン本体１００を収容する開閉可能な筐体２００と、筐体２００の折畳み部２８０において、変形可能に筐体２００に固定される弾性部材３００とを有して構成される。スクリーン１は、上述するように簡易な構成となっている。
【００１９】
なお、本実施形態の説明において、以降「左、右、上、下」等の位置若しくは方向を示す用語は、図１（ｂ）に示す状態を基準として用いることとする。
【００２０】
筐体２００は、筐体左２１０と筐体右２２０とで構成されている。また、筐体２００は、開閉部２５０を２箇所で構成し、筐体左２１０と筐体右２２０とを開閉自在としている。開閉部２５０は、本実施形態では、筐体左２１０と筐体右２２０との上下端に、それぞれ、円柱形状の開閉用の突起が形成されている。
【００２１】
開閉用の突起として、筐体左２１０の上下端には、上開閉部左２１１と下開閉部左２１２とが形成され、筐体右２２０の上下端には、上開閉部右２２１と下開閉部右２２２とが形成されている。そして、上開閉部左２１１と上開閉部右２２１とを重ねて、中心に軸部材４００を圧入して開閉が構成される。同様に、下開閉部左２１２と下開閉部右２２２を重ねて、中心に軸部材４００を圧入して開閉が構成される。これにより、軸部材４００を中心に開閉部２５０として動作可能となり、筐体左２１０と筐体右２２０とが開閉自在となる。
【００２２】
スクリーン本体１００は、本実施形態では、筐体２００の折畳み部２８０を除き、筐体左２１０と筐体右２２０との向い合う面の平坦な表面上の全域に貼付されて固定される。
【００２３】
弾性部材３００は、本実施形態では、ステンレス製の金属の板バネ上３１０と板バネ下３２０とで構成されている。板バネ上３１０は、筐体左２１０と筐体右２２０の上端側の縁部に配設され、開閉部２５０の領域に相対する領域を切欠いた薄板形状をなしている。板バネ下３２０は、筐体左２１０と筐体右２２０との下端側の縁部に配設され、形状などは板バネ上３１０と同様に構成される。
【００２４】
なお、板バネ上３１０と板バネ下３２０とは、筐体左２１０および筐体右２２０とでスクリーン本体１００を狭持する状態で筐体２００に固定される。また、折畳み部２８０に相対する領域では、スクリーン本体１００とは貼付はされず変形可能となっている。
【００２５】
図２は、スクリーンが閉じた状態と開閉途中の状態と開いた状態における詳細な図を示し、図２（ａ）は、閉じた状態での開閉部および折畳み部の断面図であり、図２（ｂ）は、開閉途中の状態での開閉部および折畳み部の斜視図であり、図２（ｃ）は、開いた状態での開閉部および折畳み部の斜視図である。図２を用いて、開閉部および折畳み部における各状態での動作を説明する。
【００２６】
図２（ａ）に示す図は、スクリーン１が閉じた状態での図１（ａ）における開閉部２５０および折畳み部２８０に対して、ＸＹ平面で切断した断面を上から視認した場合の図でる。
【００２７】
図２（ａ）に示すように、筐体左２１０には、内面側から筐体左２１０の外面方向に断面略四角形の凹部となる変形領域収容部としての収容溝左２１５が外周部を除いて上側から下側に延びて形成されている。また、筐体右２２０にも同様に、収容溝左２１５に相対させて変形領域収容部としての収容溝右２２５が形成されている。そして、スクリーン１を閉じた状態では、板バネ上３１０が相互に当接し、また、板バネ下３２０が相互に当接した状態となる。
【００２８】
スクリーン１を閉じた状態では、筐体２００の折畳み部２８０に相対した領域（本実施形態では、切欠いた領域）が湾曲に変形（湾曲変形）する。その湾曲変形した領域が、収容溝左２１５と収容溝右２２５とに収容される。
【００２９】
また、板バネ上３１０および板バネ下３２０の湾曲変形する領域に相対するスクリーン本体１００の領域も従動して湾曲変形する。なお、収容溝左２１５および収容溝右２２５には、所定の半径を有するアール面が形成されている。アール面として、収容溝左２１５にはＲ面左２１４が形成され、収容溝右２２５にはＲ面右２２４が形成されている。各アール面（Ｒ面左２１４、Ｒ面右２２４）は、板バネ上３１０、板バネ下３２０およびスクリーン本体１００が湾曲変形する場合に、応力の集中を分散させて、滑らかに湾曲変形できるようにしている。
【００３０】
スクリーン本体１００は、上述した板バネ上３１０および板バネ下３２０の湾曲な変形に従動して、折畳み部２８０の領域に相対する領域において、上端から下端まで滑らかに湾曲変形する。これにより、スクリーン１を閉じた状態（折畳んだ状態）では、スクリーン本体１００は、折畳み部２８０の領域に相対する領域が湾曲変形することにより、折目が付くことを防止している。
【００３１】
図２（ｂ）に示す図は、スクリーン１が開閉途中の状態での開閉部２５０および折畳み部２８０での斜視図である。ここで、説明の便宜上、スクリーン１を開く途中の状態として説明を行う。この状態では、板バネ上３１０および板バネ下３２０の湾曲変形した領域が徐々に解除される状態となる。スクリーン本体１００の湾曲変形した領域は、筐体左２１０と筐体右２２０とが開き、板バネ上３１０および板バネ下３２０の湾曲変形した領域が徐々に解除されることに従動して、変形が徐々に解除される状態となる。なお、スクリーン１を閉じる途中は上述した説明と逆の動作となる。
【００３２】
図２（ｃ）に示す図は、スクリーン１が開いた状態での開閉部２５０および折畳み部２８０の斜視図である。この状態では、板バネ上３１０および板バネ下３２０の湾曲変形した領域が完全に解除される状態となる。スクリーン本体１００の湾曲変形した領域は、筐体左２１０と筐体右２２０とが完全に開き、板バネ上３１０および板バネ下３２０の湾曲変形した領域が完全に解除されることに従動して、変形を完全に解除された状態となる。
【００３３】
この状態では、図１（ｂ）で図示すると同様に、スクリーン本体１００は折畳み部２８０に相対する領域での湾曲変形が完全に解除される。それにより、スクリーン本体１００の折畳み部２８０に相対する領域と、筐体左２１０と筐体右２２０とに貼付された領域とが、ゆがみのない同一平面となる。この状態が、筐体２００の平面上にスクリーン本体１００を展開させた状態となる。また、この状態で、スクリーン１は、プロジェクタなど各種の映像投写装置からの映像光を投写される投影面として機能する。
【００３４】
上述した、実施形態によれば以下の効果が得られる。
（１）本実施形態によれば、開閉部２５０により筐体２００（スクリーン１）が開閉可能となる。また、折畳み部２８０において、筐体２００（スクリーン１）を閉じることにより、弾性部材３００である板バネ上３１０および板バネ下３２０を湾曲変形させる。その時、スクリーン本体１００は、板バネ上３１０および板バネ下３２０の湾曲変形するのに従動して湾曲変形する。そして、筐体２００に形成した変形領域収容部としての収容溝左２１５、収容溝右２２５に、板バネ上３１０、板バネ下３２０およびスクリーン本体１００の湾曲変形した領域が収容される。これにより、スクリーン本体１００をスクリーン１に収容する場合、筐体左２１０と筐体右２２０との間に挟み込んだり、折曲げたりという不具合を防止できる。よって、スクリーン本体１００の信頼性を向上できる。
【００３５】
また、筐体２００（スクリーン１）を開けると、筐体２００の折畳み部２８０において、板バネ上３１０および板バネ下３２０の湾曲変形している状態を解除させる。その時、板バネ上３１０および板バネ下３２０の湾曲変形の解除に従動して、スクリーン本体１００も湾曲変形が解除され、筐体２００の平面上にスクリーン本体１００を展開できる。これにより、スクリーン１を開ける場合、スクリーン本体１００に折目や緩みなどなく筐体２００の平面上に展開できるため、スクリーン本体１００の信頼性を向上できる。
【００３６】
また、本実施形態でのスクリーン１の構成および動作により、筐体２００を開けることでスクリーン１を使用することが可能となり、筐体２００を閉じることでスクリーン１を携帯や保管などすることが可能となる。特に本実施形態では、スクリーン１を閉じると略Ａ４サイズの大きさとなり、携帯時には携帯し易い大きさとなり、利便性が向上する。また、スクリーン１を開いて使用する場合は、略Ａ３サイズで略２０インチ程度のスクリーンとして使用することができるため、小型のプロジェクタなどを使用して投影するには適度の大きさとなる。従って、簡易な構成で利便性を向上させたスクリーン１を実現することができる。
【００３７】
（２）本実施形態によれば、弾性部材３００は、板バネ上３１０および板バネ下３２０で構成される。そして、板バネ上３１０および板バネ下３２０は、筐体２００の折畳み部２８０を含めるスクリーン本体１００の上下端側縁部（筐体２００の上下端側の縁部）に相対してそれぞれ設置される。これにより、スクリーン本体１００の使用可能領域を広げることができる。
【００３８】
また、筐体２００を閉じたとき、スクリーン本体１００の上面に位置する板バネ上３１０および板バネ下３２０がそれぞれ相互に当接する。それにより、スクリーン本体１００は、対面するスクリーン本体１００と相互に隙間を保持できるため、スクリーン１の携帯時や保管時には、スクリーン本体１００の表面が相互に擦れることや密着することによる損傷を防止することができる。従って、スクリーン本体１００の信頼性を向上させることができる。
【００３９】
（３）本実施形態によれば、スクリーン本体１００は、筐体２００の折畳み部２８０を除く筐体２００の所定の領域に固定されるため、筐体２００の折畳み部２８０での弾性部材３００の変形にスクリーン本体１００が従動して変形することができる。また、筐体の所定の領域に固定されることにより、撓みの発生を防止することができるため、スクリーン本体１００の信頼性を向上できる。
【００４０】
（４）本実施形態によれば、弾性部材３００の湾曲変形する領域と、その変形に従するスクリーン本体１００の湾曲変形する領域とは、筐体２００に形成する変形領域収容部としての収容溝左２１５および収容溝右２２５により、収容される。それにより、筐体２００によって変形を阻害されることなく滑らかな変形を行うことができる。従って、スクリーン本体１００の信頼性が向上する。
【００４１】
なお、本発明は、上述した実施形態に限定されず、種々の変更や改良など加えることが可能である。変形例を以下に述べる。
【００４２】
（変形例１）前記実施形態において、開閉部２５０は、筐体左２１０と筐体右２２０とに形成した上開閉部左２１１と上開閉部右２２１とを重ねて、また、下開閉部左２１２と下開閉部右２２２を重ねて、中心に軸部材４００を圧入して開閉が構成され、筐体左２１０と筐体右２２０とが開閉自在となっている。しかし、これに限らず、別部材で構成された開閉を行う部材を用いても良い。例えば蝶番を用いて開閉部２５０を構成しても良い。その場合、蝶番を筐体左２１０と筐体右２２０とに固定することになる。
【００４３】
（変形例２）前記実施形態において、スクリーン本体１００は、筐体２００の折畳み部２８０に相対する領域を除く筐体２００の所定領域となる筐体左２１０と筐体右２２０との向い合う面の平坦な表面上の全域に貼付されて固定されている。しかし、これに限らず、平坦な表面上の一部に貼付して固定しても良い。例えば、筐体左２１０と筐体右２２０との向い合う面の外周側の平坦な表面上に貼付しても良い。
【００４４】
（変形例３）前記実施形態において、スクリーン本体１００は、筐体２００の折畳み部２８０に相対する領域を除く筐体２００の所定の領域となる筐体左２１０と筐体右２２０との向い合う面の平坦な表面上に貼付されて固定されている。しかし、貼付に限らず。筐体左２１０の左端の縁部と筐体右２２０の右端の縁部に、スクリーン本体１００を筐体２００とで狭持する固定部材などを設置することでスクリーン本体１００を固定しても良い。この場合、固定部材として、本実施形態で使用する弾性部材３００と同じ材料のステンレス製の薄板形状の金属をはじめとして、その他の金属またはプラスチック材料を使用することができる。
【００４５】
（変形例４）前記実施形態において、弾性部材３００としての板バネ上３１０および板バネ下３２０は、ステンレス製の薄板形状の金属で構成されている。しかし、これに限らず、弾性を有する部材であれば良い。例えば、鉄製や銅製の金属部材などでも良い。また、ＰＰ（ポリプロピレン）などのプラスチック部材でも良い。特にプラスチック部材を使用すると、スクリーン１の重量を軽量化することができるため、携帯における利便性が向上する。
【００４６】
（変形例５）前記実施形態において、弾性部材３００としての板バネ上３１０および板バネ下３２０は、スクリーン１を閉じた状態で、相対する面と面をそれぞれ当接させて、スクリーン本体１００に相互に隙間を確保させている。しかし、これに限らず、当接させる面のどちらか一方の面に突起を形成し、突起と他方の面とを当接させても良い。これにより、筐体２００が若干歪んでも安定して閉じることができる。
【００４７】
（変形例６）前記実施形態において、弾性部材３００としての板バネ上３１０および板バネ下３２０は、スクリーン１を閉じた状態で、相対する面と面をそれぞれ当接させて、スクリーン本体１００に相互に隙間を確保させている。しかし、これに限らず、筐体左２１０と筐体右２２０との少なくともどちらかの筐体の相対する面に突起を形成し、その突起を相対する他方の筐体に当接させても良い。
【００４８】
（変形例７）前記実施形態において、スクリーン１は、閉じた状態では略Ａ４サイズであり、開くと略Ａ３サイズとなり、携帯するのに大変コンパクトとなっている。しかし、これに限らず、本実施形態と同様の構成で、サイズを大きくすることも可能である。携帯性は劣るが、構成が簡易であり、移動性や利便性は従来に比べて向上する。
【図面の簡単な説明】
【００４９】
【図１】本発明の実施形態に係るスクリーンの概略斜視図であり、図１（ａ）は、スクリーンを閉じた場合の斜視図であり、図１（ｂ）は、スクリーンを開いた場合の斜視図である。
【図２】スクリーンが閉じた状態と開閉途中の状態と開いた状態における詳細な図を示し、図２（ａ）は、閉じた状態での開閉部および折畳み部の断面図であり、図２（ｂ）は、開閉途中の状態での開閉部および折畳み部の斜視図であり、図２（ｃ）は、開いた状態での開閉部および折畳み部の斜視図である。
【符号の説明】
【００５０】
１…スクリーン、１００…スクリーン本体、２００…筐体、２１０…筐体を構成する筐体左、２１１…上開閉部左、２１２…下開閉部左、２１４…Ｒ面左、２１５…収容溝左、２２０…筐体を構成する筐体右、２２１…上開閉部右、２２２…下開閉部右、２２４…Ｒ面右、２２５…収容溝右、２５０…開閉部、２８０…折畳み部、３００…弾性部材、３１０…弾性部材としての板バネ上、３２０…弾性部材としての板バネ下、４００…軸部材。
【図１】
2006300978.tif 000003
【図２】
2006300978.tif 000004